(57)【要約】【課題】自己破壊した電圧依存性抵抗体の破片の飛散方向を定めること。【解決手段】過電圧保護装置５０は、自己破壊するバリスタ３０と、バリスタの外周に配置されて、自己破壊したバリスタの破片Ｚが外部へ飛散するのを防止する飛散防止壁２９Ａと、破片が外部へ飛散するのを許容する開口部２９Ｂとを有するカバー２９と、を備えている。バリスタの破片は、開口部によって飛散する方向が決められている。【選択図】図３
2015119115.tif 000002
【特許請求の範囲】
【請求項１】
電気回路基板に配置された電子部品と、
前記電子部品の外周に配置されたカバーと、を備え、
前記カバーは、前記電子部品が破損した際、該電子部品の破片が飛散するのを防止する飛散防止部と、破片が外部に飛散するのを許容する飛散許容部と、を備えた、
ことを特徴とする回路装置。
【請求項２】
前記電子部品は第１の電子部品であって、第１の電子部品とは異なる第２の電子部品に並列に接続されて、前記第２の電子部品に対する印加電圧が上昇して所定の範囲内の電圧になると電気抵抗が小さくなり、さらに、前記印加電圧が上昇して前記所定の範囲内の電圧を超えると、自己破壊する電圧依存性抵抗体であることを特徴とする請求項１に記載の回路装置。
【請求項３】
前記飛散許容部は、装置内の部品を保護するための補強壁が設けられている方向に設けられていることを特徴とする請求項１又は２に記載の回路装置。
【請求項４】
前記カバーの飛散防止部は、飛散した破片を受け止める飛散防止壁であり、
前記飛散許容部は、飛散した破片の通過を許容する開口部である、
ことを特徴とする請求項１乃至３のいずれか１項に記載の回路装置。
【請求項５】
前記カバーの飛散防止部は、飛散した破片を受け止める飛散防止壁であり、
前記飛散許容部は、前記飛散防止壁より剛性の弱い弱体壁である、
ことを特徴とする請求項１乃至３のいずれか１項に記載の回路装置。
【請求項６】
前記弱体壁は、シート部材である、
ことを特徴とする請求項５に記載の回路装置。
【請求項７】
前記飛散防止壁は、内周に、飛散して衝突した破片を前記飛散許容部に向けて跳ね返す反射面が形成されている、
ことを特徴とする請求項４又は５に記載の回路装置。
【請求項８】
前記カバーは、難燃性の樹脂材で形成されている、
ことを特徴とする請求項１乃至７のいずれか１項に記載の回路装置。
【請求項９】
前記シート部材は、難燃性の樹脂材で形成されている、
ことを特徴とする請求項６に記載の回路装置。
【請求項１０】
原稿の画像を読み取る画像読取装置と、
前記画像読取装置にて読み取った画像をシートに形成する画像形成部と、
請求項１乃至９のいずれか１項に記載の回路装置と、
を備えたことを特徴とする画像形成装置。
【発明の詳細な説明】
【技術分野】
【０００１】
本発明は、過大電圧が電子部品に加わったとき、電子部品を覆うカバーが電子部品の破損による風圧によって機能しなくなることを防止する回路装置と、この回路装置を備えた画像形成装置とに関する。
【背景技術】
【０００２】
一般に、電気回路には、過大電圧が加わった場合において、電子部品を保護する保護回路が設けられていることが多い。この保護回路は、画像形成装置にも設けられている。画像形成装置は、シートに画像を形成する装置であり、画像形成装置には、複写機、プリンタ、ファクシミリ等がある。また、保護回路は、シート処理装置にも設けられている場合がある。シート処理装置は、シートを処理する装置であり、シートを綴じるステープラや、シートに孔をあける穿孔装置等を備えた装置である。
【０００３】
保護回路は、電圧依存性抵抗体としてのバリスタを備えている場合がある。バリスタは、その他の電子部品に並列に接続されており、電子部品に対する印加電圧が上昇して所定の範囲内の電圧になるとバリスタの電気抵抗が小さくなるため、電子部品に加わる電圧電流を逃がして、電子部品を保護するようになっている。ところが、バリスタは、セラミックスの焼結体で形成されているため、印加電圧が所定の範囲内の電圧を超えると、自己破壊して周囲に破片が飛散することがある。このため、バリスタをカバーで覆って、破片の飛散を防止する必要があり、そのことが特許文献１に記載されている。
【先行技術文献】
【特許文献】
【０００４】
【特許文献１】特開平８−２９４２８３号公報
【発明の概要】
【発明が解決しようとする課題】
【０００５】
しかし、従来のように、バリスタをカバーで覆って、破片の飛散を防止する場合、バリスタの大きさによっては、バリスタの自己破壊で生じる風圧によってカバー自体が飛ばされて破片が飛散してしまう場合があった。
【０００６】
本発明は、バリスタ等の電子部品を覆うカバーが電子部品の破損による風圧によって機能しなくなることを防止する回路装置と、この回路装置を備えた画像形成装置とを提供することにある。
【課題を解決するための手段】
【０００７】
本発明の回路装置は、電気回路基板に配置された電子部品と、前記電子部品の外周に配置されたカバーと、を備え、前記カバーは、前記電子部品が破損した際、該電子部品の破片が飛散するのを防止する飛散防止部と、破片が外部に飛散するのを許容する飛散許容部と、を備えた、ことを特徴としている。
【０００８】
本発明の画像形成装置は、原稿の画像を読み取る画像読取装置と、前記画像読取装置にて読み取った画像をシートに形成する画像形成部と、上記の回路装置と、を備えたことを特徴としている。
【発明の効果】
【０００９】
本発明の回路装置は、電子部品を覆うカバーが機能を果たさなくなることがなく、電子部品が設けられた装置の外部に電子部品の破片が飛散しないようにすることができる。
【００１０】
本発明の画像形成装置は、装置の外部に電子部品の破片が飛散しないようにした回路装置を備えているので、装置外への破片の飛散を防止することができる。
【図面の簡単な説明】
【００１１】
【図１】シート搬送方向に沿った画像形成装置の断面概略図である。
【図２】本発明の実施形態としての過電圧保護装置のカバーとその周辺との斜視図である。
【図３】図２の断面図である。
【図４】過電圧保護装置の斜視図である。
【図５】他の実施の形態のカバーの断面図であり、図３に相当する図である。
【図６】バリスタが設けられた電気回路の概略図である。
【発明を実施するための形態】
【００１２】
以下、本発明の過電圧保護装置を図に基づいて説明をする。回路装置としての過電圧保護装置は、図１に示す画像形成装置に設けられている。なお、過電圧保護装置は、画像形成装置のみならず、シート処理装置、画像形成装置が複写する原稿を画像形成装置に自動的に供給する自動原稿供給装置等に設けてもよい。したがって、過電圧保護装置は、画像形成装置のみに設けられるものではない。
【００１３】
先ず、過電圧保護装置が設けられている画像形成装置を図１に基づいて説明をする。図１は、シート搬送方向に沿った画像形成装置の断面概略図である。
【００１４】
画像形成装置１０は、外部のコンピュータから送られてくる画像情報や、画像読取装置としての原稿読み取りユニット２４で取り込んだ画像情報に基づいて、シートに画像を形成するようになっている。画像形成装置１０は、受信した画像情報をレーザ発光書込ユニット１１によって、光変調情報に変換したレーザ光により、感光体ドラム１８を照射して、感光体ドラム１８に画像情報に応じた静電潜像を形成する。その静電潜像は、トナー現像器１６によってトナー現像をされて、トナー画像となり、可視像化される。
【００１５】
一方、画像形成装置１０の装置本体１０Ａの下部には、シートが載置される箱状のカセット１２ａが装置本体１０Ａに対して着脱自在に設けられている。カセット１２ａ内には、カセット１２ａに傾動自在に設けられて、シートＰが載置される支持板１２ｂと、支持板１２ｂを押し上げる加圧ばね１２ｃとが設けられている。
【００１６】
カセット１２ａ内に載置されたシートＰは、支持板１２ｂと加圧ばね１２ｃに押し上げられる。そして、最上位のシートがピックアップローラ１２ｄによってカセット１２ａから送り出されて、分離ローラ対１２ｅによって搬送される。カセット１２ａ、支持板１２ｂ、加圧ばね１２ｃ、ピックアップローラ１２ｄ、カセット１２ａ等は、給紙ユニット１２を構成している。
【００１７】
給紙ユニット１２によってカセット１２ａから送り出されたシートは、給紙通路１４を搬送されて、レジストローラ対１５のニップに突き当てられ、斜行している場合、斜行取りされて感光体ドラム１８のトナー画像の位置に合わせて搬送される。
【００１８】
図１の給紙ユニット１２の斜め右上方には、手差しトレイ１３ａが設けられている。手差しトレイ１３ａは、装置本体１０Ａを開閉できるように装置本体１０Ａに設けられている。開いた手差しトレイ１３ａに載置されたシートは、手差し給紙ローラ１３ｂによって装置本体内に引き込まれて給紙通路１４を案内にしてレジストローラ対１５に搬送される。そして、該シートは、感光体ドラム１８に搬送される。手差しトレイ１３ａ、手差し給紙ローラ１３ｂ等は、手差しユニット１３を構成している。
【００１９】
給紙ユニット１２や手差しユニット１３から感光体ドラム１８に搬送されたシートは、感光体ドラム１８とでニップを形成している転写ローラ１７によって、感光体ドラム１８に既に形成されているトナー画像を転写される。トナー画像を転写されたシートは、定着器１９によって、トナー画像を定着されて、排出通路２０を案内され、排出ローラ対２２によって胴内排出トレイ２３に排出される。なお、トナー現像器１６、転写ローラ１７、感光体ドラム１８等は、画像形成部３４を形成している。
【００２０】
両面に画像を形成されるシートは、搬送路２１を搬送されて、反転ローラ対２５に送られる。反転ローラ対２５は、正転逆転してシートをスイッチバック搬送する。シートは、スイッチバック搬送によって表裏反転されて、反転パス２６，２７を搬送ローラ対２６Ａ，２７Ｂに搬送され、再度、レジストローラ対１５に搬送される。そして、シートは、他方の面にトナー画像を転写されて胴内排出トレイ２３に排出される。
【００２１】
以上説明した画像形成装置１０は、装置本体内の各部に電力を送る電源回路や、装置本体内を制御する制御回路等が設けられた電気回路基板としての電源回路基板２８をカセット１２ａの上方に備えている。
【００２２】
電源回路基板２８には、電圧依存性抵抗体としてのバリスタ３０と、第１の電子部品としての電解コンデンサＣ１（図６）等が実装されている。電解コンデンサＣ１は、不図示の電子部品を介して両端を電源ＡＣと、負荷Ｗとに接続されている。第２の電子部品としてのバリスタ３０は、電解コンデンサＣ１に並列に接続されている。
【００２３】
バリスタ３０は、電解コンデンサＣ１等の電子部品に対する印加電圧Ｖが上昇して、所定の範囲内の電圧（Ｖ１〜Ｖ２）になると、電気抵抗が小さくなり、電子部品に過大な電圧電流が加わらないようにして、電子部品を保護するようになっている。ところが、バリスタ３０は、酸化亜鉛等のセラミックスの焼結体で形成されており、印加電圧Ｖが、さらに上昇して所定の範囲内の電圧（Ｖ１〜Ｖ２）を超えると（Ｖ＞（Ｖ１〜Ｖ２））、絶縁層が破壊されてほぼ短絡状態になる。短絡状態になったバリスタ３０は、自己破壊して、破片を周囲に飛散することになる。
【００２４】
バリスタ３０の自己破壊によって生じた破片は、画像形成装置の装置本体１０Ａの隙間や通気口から外部に飛び出したり、バリスタの傍にある他の電子部品や、装置等に損傷を与えたりしないようにするのが好ましい。
【００２５】
そこで、電源回路基板２８には、バリスタ３０の外周に飛散防止部材としてのカバー２９（図２、図３）が配置されている。図２は、カバーとその周辺との斜視図である。図３は、図２の断面図である。バリスタ３０とカバー２９は、過電圧保護装置５０を構成している。
【００２６】
カバー２９は、ＵＬ規格における難燃グレードＶ０の難燃性の樹脂材で形成されていることが好ましい。カバー２９は、不図示のフックによって電源回路基板２８に固定され、かつ装置本体１０Ａの一部分である固定のフレーム３２にビス３３等によって強固に固定されている。
【００２７】
カバー２９（図２、図３）は、画像形成装置内で、自己破壊したバリスタ３０の破片が外部へ飛散するのを防止する飛散防止部としての飛散防止壁２９Ａと、破片が外部へ飛散するのを許容する飛散許容部としての開口部２９Ｂとを有している。
【００２８】
カバー２９に開口部２９Ｂが形成されていることによって、バリスタ３０の自己破壊によって生じる風圧を逃がすことができ、風圧によってカバー自体が飛ばされることでカバーが機能を果たさなくなることを防ぐことができる。また、風圧を逃がす方向を破片の飛散が許容される方向に限定することで、破片の飛散方向を限定することができる。したがって、図１、図４に示すように、開口部２９Ｂを装置本体１０Ａの内側に向けてカバー２９を配置すると、装置本体１０Ａの不図示の隙間や通気口からの破片の飛散を防止することができる。また、開口部２９Ｂを、バリスタの傍にある不図示の他の電子部品や、装置等から外れた、装置本体内の空間ＡＲに向けてカバー２９を配置してあるので、バリスタの傍にある不図示の他の電子部品や装置等の破損を防止することができる。
【００２９】
また、開口部２９Ｂは、装置本体１０Ａに既に設けられている装置本体の補強壁３１にも対向させてある。開口部２９Ｂと補強壁３１との距離は、破片が届かない距離であるが、仮に、破片が飛ぶようなことがあっても、補強壁３１が破片を受け止めて、分離ローラ対１２ｅ等に損傷が生じないようにしてある。すなわち、補強壁３１は、拡散防止壁の役目をしているが、拡散防止壁に装置本体の壁は使用しない方が好ましい。理由として、装置本体には、隙間がある場合があり、隙間があると、その隙間から破片が外部に飛び出すことがあるからである。
【００３０】
さらに、カバー２９には、開口部２９Ｂが形成されているため、バリスタ３０に塵埃が付着することがある。そこで、カバー１２９（図５）は、破片が外部へ飛散するのを防止する飛散防止部としての飛散防止壁１２９Ａと、飛散する破片や風圧によって破られて、破片の通過を許容する、飛散許容部としての弱体壁１２９Ｃとで、バリスタを囲むように形成してもよい。弱体壁１２９Ｃは、飛散防止壁１２９Ａより厚みが薄く形成されて、飛散防止壁１２９Ａより剛性を弱く弱体化されている。なお、弱体壁１２９Ｃは、シール等のシート部材であってもよい。すなわち、カバー１２９は、図２に示すカバー２９の開口部２９Ｂにシート部材を設けた形状にしてもよい。シート部材は、ＵＬ規格における難燃グレードＶ０またはＶＴＭ−０の樹脂材で形成されていることが好ましい。図５において、バリスタ３０とカバー１２９は、回路装置としての過電圧保護装置１５０を構成している。
【００３１】
このように、飛散防止壁と弱体壁とで、バリスタを囲むと、弱体壁１２９Ｃでバリスタ３０の自己破壊によって生じる風圧の方向と破片の飛散方向を限定することができる。また、バリスタに塵埃が付着してバリスタがショートするのを防止して、バリスタの過電圧保護機能を長期間維持することもできる。
【００３２】
また、図３、図５に示すように、カバー２９、１２９の内周には、飛散して衝突したバリスタ３０の破片Ｚを開口部２９Ｂ、弱体壁１２０Ｃに向けて跳ね返す反射面としての反射壁２９Ｄ，１２９Ｄを形成してもよい。反射壁２９Ｄ，１２９Ｄを形成すると、飛散する破片Ｚを開口部２９Ｂ、弱体壁１２９Ｃに向けて、容易に案内することができる。また、本実施例では電圧依存性抵抗体としてバリスタ３０を挙げているが、その他の自己破壊が生じる可能性がある、トランジスタ、コンデンサ等の電子部品にカバー２９、１２９を備えてもよい。
【符号の説明】
【００３３】
１０：画像形成装置、１０Ａ：画像形成装置の装置本体、２４：原稿読み取りユニット（画像読取装置）、２８：電源回路基板(電気回路基板)、２９：カバー、２９Ａ：飛散防止壁（飛散防止部）、２９Ｂ：開口部（飛散許容部）、２９Ｄ：反射壁（反射面）、３０：バリスタ（第２の電子部品、電圧依存性抵抗体）、３４：画像形成部、５０：過電圧保護装置（回路装置）、１２９：カバー、１２９Ａ：飛散防止壁（飛散防止部）、１２９Ｃ：弱体部（シール、飛散許容部），１２９Ｄ：反射壁（反射面）、１５０：過電圧保護装置（回路装置）、Ｃ１：電解コンデンサ（第１の電子部品）。
【図１】
2015119115.tif 000003
【図２】
2015119115.tif 000004
【図３】
2015119115.tif 000005
【図４】
2015119115.tif 000006
【図５】
2015119115.tif 000007
【図６】
2015119115.tif 000008